(57)【要約】【課題】２波長以上の光を利用する光ピックアップ装置において、光学部品の点数の削減を図ることを目的とする。【解決手段】発光素子と受光素子とが一体化された第１及び第２の光集積素子３０及び５０を用いる。第１及び第２の光集積素子３０及び５０から出射される異なる波長のレーザ光を立ち上げミラー７１、７２に至る光軸Ｃ１及びＣ２が直線状とされ、且つ、非平行とされて互いに斜めに配置される。【選択図】図５
2010102810.tif 000002
【特許請求の範囲】
【請求項１】
第１の波長のレーザ光を出射する発光素子を保持する発光素子保持体と、受光素子と、前記発光素子から出射されるレーザ光を外部に導出すると共に、記録媒体からの戻り光を前記受光素子に導く光学素子とが一体化された第１の光集積素子と、
第２の波長のレーザ光を出射する発光素子を保持する発光素子保持体と、受光素子と、前記発光素子から出射されるレーザ光を外部に導出すると共に、記録媒体からの戻り光を前記受光素子に導く光学素子とが一体化された第２の光集積素子と、
第１の波長のレーザ光に対応する第１の対物レンズと、第２の波長のレーザ光に対応する第２の対物レンズとを、ディスク状の記録媒体の記録面に対して所定の位置に移動する機構を有する対物レンズ移動機構と、
前記第１及び第２の光集積素子から出射される異なる波長のレーザ光を、前記第１及び第２の対物レンズにそれぞれ導くと共に、前記記録媒体からの戻り光を前記第１及び第２の光集積素子にそれぞれ導く機能を有し、前記第１及び第２の光集積素子から前記第１及び第２の対物レンズの立ち上げミラーに至る光路が直線状とされ、且つ、非平行とされる第１及び第２の光学系と、を備える
光ピックアップ装置。
【請求項２】
前記第２の光集積素子が、第２の波長のレーザ光を出射する発光素子と、第３の波長のレーザ光を出射する発光素子と、を備える請求項１に記載の光ピックアップ装置。
【請求項３】
前記第１の波長が青色帯域の波長とされ、
前記第２の波長が赤色帯域の波長とされる請求項１に記載の光ピックアップ装置。
【請求項４】
前記第１の波長が青色帯域の波長とされ、
前記第２及び第３の波長が赤色帯域の波長とされる請求項２に記載の光ピックアップ装置。
【請求項５】
前記第１及び第２の光集積素子における光学素子が偏光ビームスプリッタを有する光学プリズムとされ、
前記発光素子から出射される光の少なくとも一部を受光するモニター用の受光素子が、前記光学プリズムの前記偏光ビームスプリッタの反射側に配置される請求項１に記載の光ピックアップ装置。
【請求項６】
ディスク状の記録媒体が装着されるディスクテーブルと、
前記記録媒体の記録面上を移動する移動テーブルに搭載される光ピックアップ装置と、を備え、
前記光ピックアップ装置は、
第１の波長のレーザ光を出射する発光素子を保持する発光素子保持体と、受光素子と、前記発光素子から出射されるレーザ光を外部に導出すると共に、記録媒体からの戻り光を前記受光素子に導く光学素子とが一体化された第１の光集積素子と、
第２の波長のレーザ光を出射する発光素子を保持する発光素子保持体と、受光素子と、前記発光素子から出射されるレーザ光を外部に導出すると共に、記録媒体からの戻り光を前記受光素子に導く光学素子とが一体化された第２の光集積素子と、
第１の波長のレーザ光に対応する第１の対物レンズと、第２の波長のレーザ光に対応する第２の対物レンズとを、ディスク状の記録媒体の記録面に対して所定の位置に移動する機構を有する対物レンズ移動機構と、
前記第１及び第２の光集積素子から出射される異なる波長のレーザ光を、前記第１及び第２の対物レンズにそれぞれ導くと共に、前記記録媒体からの戻り光を前記第１及び第２の光集積素子にそれぞれ導く機能を有し、前記第１及び第２の光集積素子から前記第１及
び第２の対物レンズの立ち上げミラーに至る光路が直線状とされ、且つ、非平行とされる第１及び第２の光学系と、を備える
光ディスク装置。
【発明の詳細な説明】
【技術分野】
【０００１】
本発明は光ピックアップ装置及び光ディスク装置に関する。詳しくは、ディスクテーブルに装着されるディスク状の記録媒体に対して情報信号の記録や再生を行う光を導く光ピックアップ装置とこれを備える光ディスク装置に関する。
【背景技術】
【０００２】
映像情報、音楽情報、文書情報等の各種情報を記録再生するための手段として、ＣＤ（Compact Disc、登録商標）やＤＶＤ（Digital Versatile Disc、登録商標）等の記録媒体が普及し、広く使用されている。ＣＤ（登録商標）では波長７８０ｎｍ帯域のレーザと開口数０．４５の光学系が用いられ、ＤＶＤ（登録商標）では波長６６０ｎｍ帯域のレーザ光と開口数０．６の光学系が用いられている。更に、より高品質な映像情報を長時間記録再生するという要求に応じるため、波長４０５ｎｍ帯域の青紫色レーザと開口数（ＮＡ）が０．８５の対物レンズを用いることによって記録容量の向上を図ったＢＤ（Blu-ray Disc、登録商標）も普及されている。
【０００３】
これらの規格が異なる記録媒体を記録再生するドライブ装置を、一台の情報記録再生装置（例えばノート型パーソナルコンピュータや、ディスク状媒体を使用した撮像装置）に内蔵する光ディスク装置が製品化されている。パーソナルコンピュータ等に内蔵する場合は、光ディスク装置全体の大きさが制限され、上述した各種記録媒体を１つの光ピックアップ装置で記録再生可能にすることが求められる。このように、制約のある小型空間に異なる規格の記録媒体を記録再生可能とする光ピックアップ装置が例えば特許文献１に開示されている。
【０００４】
特許文献１の図１に開示の光ピックアップ装置の概略構成図を図１１に示す。図１１に示すように、この光ピックアップ装置には、青色波長（４０５ｎｍ）の光を出射する光源１０１と、赤色の２波長（６６０ｎｍ及び７８０ｎｍ）の光を出射する光源１１１とが設けられる。光源１０１の出射光路上にはその光軸２０１に沿って偏光ビームスプリッタ１０２、ハーフミラー１０３、反射ミラー１２６が配置される。ハーフミラー１０３の反射光路上に補助レンズ１０４、コリメートレンズ駆動手段１０９により駆動されるコリメートレンズ１０５、１／４波長板１０６、立ち上げミラー１０７が配置され、立ち上げミラー１０７の反射光路上に対物レンズ１０８が配置される。反射ミラー１２６の反射光路上にはモニター用の受光素子１２３が配置される。そして記録媒体１３１からの戻り光を検出する検出器１１０は偏光ビームスプリッタ１０２の反射光路上に配置される。
【０００５】
また、光源１１１の出射光路上には、１／２波長板１１２、波長選択回折素子１１３、ダイクロハーフミラー１１４、その透過光路上に集光レンズ１２９、そして受光素子１２３が配置される。ダイクロハーフミラー１１４の反射光路上には、コリメートレンズ１１５、液晶収差補正素子１１６、広帯域１／４波長板１１７、立ち上げミラー１１８が配置され、立ち上げミラー１１８の反射光路上に対物レンズ１１９が配置される。また、記録媒体１３１からの戻り光がダイクロハーフミラー１１４を透過する光路上に、検出レンズ１２１を介して検出器１２２が配置される。
【０００６】
この図１１に示す構成の光ピックアップ装置においては、３波長の光を利用する光ピックアップ装置において、１つのモニター用の受光素子１２３を３波長の光源に対して共通に利用することで、装置の小型化を図っている。
【特許文献１】特開２００８−１０２９９７号公報
【発明の開示】
【発明が解決しようとする課題】
【０００７】
上述の特許文献１に開示の光ピックアップ装置では、モニター用受光素子を共通に利用するために、光源から対物レンズに至る光路を途中で反射ミラーにより折り曲げる構成となっている。このため、部品点数が多くなってしまう。図１１に示す例の場合、光源から立ち上げミラーまでの光学部品点数が合計１９点となる。各部品の光学調整を簡易化して信頼性を高めるためには部品点数は少ない程好ましい。また収差の発生を抑えるためにも、光学部品の点数はできるだけ削減することが求められる。
【０００８】
以上の問題に鑑みて、本発明は、２波長以上の光を利用する光ピックアップ装置において、光学部品の点数の削減と信頼性向上を図ることを目的とする。
【課題を解決するための手段】
【０００９】
上記課題を解決するため、本発明による光ピックアップ装置は、第１の波長のレーザ光を出射する発光素子を保持する発光素子保持体と、受光素子と、発光素子から出射されるレーザ光を外部に導出すると共に、記録媒体からの戻り光を受光素子に導く光学素子とが一体化された第１の光集積素子と、第２の波長のレーザ光を出射する発光素子を保持する発光素子保持体と、受光素子と、発光素子から出射されるレーザ光を外部に導出すると共に、記録媒体からの戻り光を受光素子に導く光学素子とが一体化された第２の光集積素子と、第１の波長のレーザ光に対応する第１の対物レンズと、第２の波長のレーザ光に対応する第２の対物レンズとを、ディスク状の記録媒体の記録面に対して所定の位置に移動する機構を有する対物レンズ移動機構と、第１及び第２の光集積素子から出射される異なる波長のレーザ光を、第１及び第２の対物レンズにそれぞれ導くと共に、記録媒体からの戻り光を第１及び第２の光集積素子にそれぞれ導く機能を有し、第１及び第２の光集積素子から第１及び第２の対物レンズの立ち上げミラーに至る光路が直線状とされ、且つ、非平行とされる第１及び第２の光学系と、を備える構成とする。
【００１０】
また、本発明による光ディスク装置は、ディスク状の記録媒体が装着されるディスクテーブルと、記録媒体の記録面上を移動する移動テーブルに搭載される光ピックアップ装置と、を備える。そしてこの光ピックアップ装置として上述の本発明構成の光ピックアップ装置を用いる。
【００１１】
上述したように本発明の光ピックアップ装置においては、発光素子保持体と、受光素子と、発光素子から出射されるレーザ光を外部に導出すると共に、記録媒体からの戻り光を受光素子に導く光学素子とを一体化した第１及び第２の光集積素子を用いる。これら第１及び第２の光集積素子は、第１及び第２の波長に対応して設けられる。そして更に、これら第１及び第２の光集積素子から第１及び第２の対物レンズの立ち上げミラーに至る光路が直線状で、且つ、非平行となる第１及び第２の光学系を設けるものとする。
このような構成とすることによって、光学部品の点数を抑えることができ、また光ピックアップ装置全体の小型化を図ることが可能となる。
【発明の効果】
【００１２】
本発明によれば、光ピックアップ装置において２つ以上の波長の光を用いつつ、光学部品点数の増加を抑制することができる。
【発明を実施するための最良の形態】
【００１３】
以下本発明を実施するための最良の形態の例を説明するが、本発明は下記の例に限定されるものではない。以下の順序で説明する。
［１］光ディスク装置の実施の形態例
［２］光ピックアップ装置の実施の形態例
１．対物レンズ駆動装置の構成
２．発光素子（光集積素子）から対物レンズに至る光学系の構成
３．光集積素子の構成
【００１４】
［１］光ディスク装置の実施の形態例
本発明の実施の形態例にかかる光ディスク装置の概略構成図を図１に示す。図１に示すように本形態の光ディスク装置１は、外筐２内に所要の各部材及び各機構が配置され、外筐２には図示しないディスク挿入口が形成される。そしてこの外筐２内に図示しないシャーシが配置され、このシャーシに取り付けられたスピンドルモーターのモーター軸にディスクテーブル３が固定される。
【００１５】
シャーシには、平行なガイド軸４ａ、４ｂが取り付けられると共に図示しない送りモーターによって回転されるリードスクリュー５が支持されている。光ピックアップ装置６は、移動ベース７とこの移動ベース７に設けられた所要の光学部品と移動ベース７上に配置された対物レンズ駆動装置８とを有し、移動ベース７の両端部に設けられた軸受部７ａ、７ｂがそれぞれガイド軸４ａ、４ｂに摺動自在に支持される。そして移動ベース７に設けられた図示しないナット部材がリードスクリュー５に螺合され、送りモーターによってリードスクリュー５が回転されると、ナット部材がリードスクリュー５の回転方向へ応じた方向へ送られる。これにより、ディスクテーブル３に装着されたディスク状の記録媒体１００の半径方向（ラジアル方向）へ、光ピックアップ装置６が移動される。
【００１６】
［２］光ピックアップ装置の実施の形態例
１．対物レンズ駆動装置の構成
次に、上述した光ディスク装置１に装備される光ピックアップ装置６の対物レンズ駆動装置８の構成について説明する。図２は本実施の形態例にかかる対物レンズ駆動装置８の概略斜視構成図であり、その可動ブロック１０の概略斜視構成図を図３及び図４に示す。
【００１７】
対物レンズ駆動装置８には、図２に示すように、固定ブロック９とこの固定ブロック９に対して動作される可動ブロック１０とが移動ベース７に配置される。固定ブロック９は移動ベース７に固定され、その後面に回路基板１１が取り付けられる。
可動ブロック１０は、図３に示すようにレンズホルダー１２に所要の各部が取り付けられて成る。レンズホルダー１２の上端寄りの位置における全周にはコイル取付用溝１２ａが形成される。コイル取付用溝１２ａには略角筒状の第１のフォーカス用コイル１３が取り付けられ、第１のフォーカス用コイル１３は軸方向がフォーカス方向（上下方向）とされる。そしてこの第１のフォーカス用コイル１３は前後に位置する部分がそれぞれ左右方向に延びる第１の推力発生部１３ａと第２の推力発生部１３ｂとして設けられる。
【００１８】
レンズホルダー１２には、図４に示すように、前方に開口された光路用開口１２ｂが形成されている。またレンズホルダー１２の上面はレンズ取付部１２ｃとして形成され、このレンズ取付部１２ｃに対物レンズ１４、１５が取り付けられて保持される。対物レンズ１４、１５は左右方向（ラジアル方向）に離隔して配置される。種類の異なる記録媒体１００、例えば、レーザ光の使用波長が７８０ｎｍ付近である記録媒体、使用波長が６６０ｎｍ付近である記録媒体、使用波長が４０５ｎｍ付近である記録媒体等に対応して設けられる。
【００１９】
対物レンズ１４、１５の下方にはそれぞれ図示しない立上ミラーが配置される。立上ミラーは後述する光源から出射され、光路用開口１２ｂを介して入射されたレーザ光を直角に折り曲げてそれぞれ対物レンズ１４、１５に入射させる機能を有する。
【００２０】
レンズホルダー１２の後面はコイル取付部１２ｄとして形成され、このコイル取付部１
２ｄに第２のフォーカス用コイル１６とトラッキング用コイル１７、１７が設けられる。トラッキング用コイル１７、１７は第２のフォーカス用コイル１６を挟んだ左右両側にそれぞれ配置される。これら第２のフォーカス用コイル１６及びトラッキング用コイル１７、１７は何れも略角筒状に形成され、軸方向がタンジェンシャル方向となる向きでコイル取付部１２ｄに取り付けられる。またレンズホルダー１２には図示しない一対のチルト用コイルが取り付けられる。
【００２１】
レンズホルダー１２のコイル取付部１２ｄにおける左右両端部には、それぞれ接続基板１８、１８が取り付けられる。接続基板１８、１８の接続端子にはそれぞれ第１のフォーカス用コイル１３、第２のフォーカス用コイル１６、トラッキング用コイル１７、１７及びチルト用コイルの各端部が接続される。接続基板１８、１８には、図２に示すように、それぞれ支持バネ１９、１９、・・・の前端部が、例えば、半田付けによって接合される。支持バネ１９、１９、・・・は、導電性金属材料によって、例えば、ワイヤー状に形成される。
【００２２】
固定ブロック９に取り付けられた回路基板１１にはそれぞれ支持バネ１９、１９、・・・の後端部が、例えば、半田付けによって接合されている。
上記のように支持バネ１９、１９、・・・の両端部が可動ブロック１０の接続基板１８、１８と固定ブロック９の回路基板１１に接合されることにより、可動ブロック１０が支持バネ１９、１９、・・・によって固定ブロック９と連結されて中空に保持される。
【００２３】
対物レンズ駆動装置８にあっては、図示しない電源回路から回路基板１１、支持バネ１９、１９、・・・及び接続基板１８、１８を介してそれぞれ第１のフォーカス用コイル１３、第２のフォーカス用コイル１６に駆動電流が供給される。同様に、トラッキング用コイル１７、１７及びチルト用コイルにも駆動電流が供給される。
【００２４】
可動ブロック１０の前側には横長の第１のフォーカス用マグネット２０が配置される（図２乃至図４参照）。第１のフォーカス用マグネット２０は、例えば、移動ベース７の図示しない取付部に取り付けられ、光路用開口１２ｂの上側で第１のフォーカス用コイル１３の第１の推力発生部１３ａの前側に配置される。
【００２５】
移動ベース７には磁性金属材料によって形成されたヨーク部材２１が配置される（図２参照）。ヨーク部材２１は上下方向を向くベース部２１ａとこのベース部２１ａから上方へ突出されたヨーク部２１ｂとを有する。ヨーク部２１ｂの前面には第２のフォーカス用マグネット２２及びトラッキング用マグネット２３、２３が取り付けられる。ヨーク部材２１には図示しないチルト用マグネットが取り付けられる。
【００２６】
なお、ヨーク部材２１はベース部２１ａとヨーク部２１ｂが別部品として構成されていてもよい。この場合に、例えば、ベース部２１ａに、固定ブロック９を移動ベース７に固定すると共にヨーク部２１ｂを保持する機能を持たせ、ヨーク部２１ｂに専用のヨークとしての機能を持たせるように構成することが可能である。
【００２７】
第２のフォーカス用マグネット２２は第１のフォーカス用コイル１３の第２の推力発生部１３ｂに対向して配置される。またトラッキング用マグネット２３、２３はそれぞれトラッキング用コイル１７、１７に対向して配置され、チルト用マグネットはそれぞれチルト用コイルに対向して配置される。
【００２８】
なお、対物レンズ駆動装置８は、専用のチルト用マグネットが設けられない構成であってもよく、例えば、第２のフォーカス用マグネット２２がチルト用マグネットを兼用する構成とすることが可能である。この場合は、チルト用コイルはチルト用マグネットを兼用する第２のフォーカス用マグネット２２に対向して配置される。
【００２９】
第１のフォーカス用コイル１３と第２のフォーカス用コイル１６と第１のフォーカス用マグネット２０と第２のフォーカス用マグネット２２とヨーク部材２１によってフォーカス用磁気回路が構成される。またトラッキング用コイル１７、１７とトラッキング用マグネット２３、２３とヨーク部材２１によってトラッキング用磁気回路が構成される。更に、チルト用コイルとチルト用マグネットとヨーク部材２１によってチルト用磁気回路が構成される。
【００３０】
図示しない電源回路から第１のフォーカス用コイル１３、第２のフォーカス用コイル１６、トラッキング用コイル１７、１７又はチルト用コイルに駆動電流が供給される。すると、これらの駆動電流の向きと第１のフォーカス用マグネット２０、第２のフォーカス用マグネット２２、トラッキング用マグネット２３、２３又はチルト用マグネットにより発生する磁束の方向とに応じた向きの力（推力）が発生する。そして、可動ブロック１０がフォーカス方向、トラッキング方向又はチルト方向へ移動又は傾斜される。可動ブロック１０がフォーカス方向、トラッキング方向又はチルト方向へ動作されるときには、支持バネ１９、１９、・・・が弾性変形する。
【００３１】
フォーカス方向は記録媒体１００に離接する方向（図２に示すＦ方向）、すなわち上下方向であり、トラッキング方向は記録媒体１００の半径方向（図２に示すＴＲ方向）、すなわち左右方向である。また、チルト方向はフォーカス方向及びトラッキング方向にともに直交する方向（タンジェンシャル方向）に延びる軸の軸回り方向（図２に示すＴＩ方向）である。
【００３２】
上記したフォーカス動作においては、電源回路から第１のフォーカス用コイル１３に駆動電流が供給されたときに、第１のフォーカス用コイル１３の第１及び第２の推力発生部１３ａ及び１３ｂに可動ブロック１０をフォーカス方向へ動作させる推力が発生する。また、電源回路から第２のフォーカス用コイル１６に駆動電流が供給されたときに、第２のフォーカス用コイル１６に可動ブロック１０をフォーカス方向へ動作させる推力が発生する。
【００３３】
以上の構成とされた光ディスク装置１において、スピンドルモーターの回転に伴ってディスクテーブル３が回転されると、このディスクテーブル３に装着されたディスク状の記録媒体１００が回転される。同時に、光ピックアップ装置６が記録媒体１００の半径方向へ移動されて、記録媒体１００に対する記録動作又は再生動作が行われる。
【００３４】
この記録動作及び再生動作において、第１のフォーカス用コイル１３及び第２のフォーカス用コイル１６に駆動電流が供給されると、上記したように対物レンズ駆動装置８の可動ブロック１０が固定ブロック９に対して図２に示すフォーカス方向Ｆ−Ｆへ動作される。これにより対物レンズ１４、１５を介して照射されるレーザ光のスポットが記録媒体１００の記録面に集光するようにフォーカス調整が行われる。
【００３５】
また、トラッキング用コイル１７、１７に駆動電流が供給されると、上記したように、対物レンズ駆動装置８の可動ブロック１０が固定ブロック９に対して図２に示すトラッキング方向ＴＲ−ＴＲへ動作される。これにより対物レンズ１４、１５を介して照射されるレーザ光のスポットが記録媒体１００の記録トラック上に集光するようにトラッキング調整が行われる。
【００３６】
更に、チルト用コイルに駆動電流が供給されると、上記したように、対物レンズ駆動装置８の可動ブロック１０が固定ブロック９に対して図２に示すチルト方向ＴＩ−ＴＩへ動作される。これにより、対物レンズ１４、１５を介して照射されるレーザ光の光軸が記録媒体１００の記録面に垂直となるようにチルト調整が行われる。
【００３７】
なお、図１〜図４に示す例では、第１のフォーカス用コイル１３を水平な状態で配置した例を示したが、これに限定されるものではない。例えば傾斜させた状態で第１のフォーカス用コイル１３Ａを配置する等、フォーカス調整、トラッキング調整、チルト調整の各機構は上述の例に限定されるものではなく、種々の変形例とすることが可能である。例えば、第１のフォーカス用コイル１３と第２のフォーカス用コイル１６に逆方向への駆動電流が供給されることにより、フォーカス用磁気回路がチルト用磁気回路と兼用される構成とすることも可能である。この場合は、可動ブロック１０が固定ブロック９に対して図２に示すチルト方向ＴＩ−ＴＩへ動作されてチルト調整が行われる。
また、フォーカス方向を上下方向、トラッキング方向を左右方向、タンジェンシャル方向を前後方向として説明したが、これらの方向は説明の便宜上、例として示したものであり、特にこれらの方向に限定されることはない。
【００３８】
以上説明した構成の光ピックアップ装置６にあっては、第１のフォーカス用コイル１３と第２のフォーカス用コイル１６を設ける。また、第１のフォーカス用コイル１３を第１の推力発生部１３ａと第２の推力発生部１３ｂが前後に位置する状態でレンズホルダー１２に取り付ける。更に、第２のフォーカス用コイル１６を軸方向がタンジェンシャル方向とした状態でレンズホルダー１２に取り付けるようにしたので、レンズホルダー１２の光路用開口１２ｂの大きな開口面積を確保することができる。その上、レンズホルダー１２の前面にフォーカス用コイルが取り付けられないため可動ブロック１０の薄型化を図ることができ、薄型化を確保すると共にフォーカス動作に必要な大きな推力を確保することができる。
【００３９】
また、レンズホルダー１２の前面にフォーカス用コイルが取り付けられないため、可動ブロック１０のタンジェンシャル方向における小型化が図られ、高い高次共振特性を確保することができる。
更に、可動ブロック１０の薄型化により該可動ブロック１０が軽量となり、フォーカス動作、トラッキング動作及びチルト動作における感度の向上を図ることができる。
加えて、対物レンズ駆動装置８にあっては、二つの対物レンズ１４、１５を囲む位置に第１のフォーカス用コイル１３が配置されているため、安定したフォーカス動作を実現することができると共にフォーカス動作に必要な大きな推力を確保することができる。
【００４０】
２．発光素子（光集積素子）から対物レンズに至る光学系の構成
次に、本発明の特徴となる、発光素子（具体的には発光素子を含む光集積素子）から対物レンズに至る光学系の構成を説明する。以下の説明では図５〜図７の概略平面構成図、図８の概略斜視構成図を参照する。図５は、移動ベース７に配置された上述の対物レンズ駆動装置８と、発光素子から対物レンズ１４、１５に至る光路を構成する第１の光学系８１及び第２の光学系８２との概略平面構成図である。また図６は、図５において対物レンズ駆動装置８を除いた状態を示す平面構成図であり、図７は、図６に示す移動ベース７の裏面側から見た概略平面構成図である。図５〜図７において、図１〜図４で説明した部分と対応する部分には同一符号を付して重複説明を省略する。
【００４１】
図５〜図７に示すように、この例では、第１及び第２の光集積素子３０及び５０から、対物レンズ１４及び１５の下部に設けられる立ち上げミラー７１及び７２（図６及び図７参照）に至る光路が直線状となり、また、非平行となるように、各光学部品が配置される。すなわち、第１の光学系８１の光軸Ｃ１及び第２の光学系８２の光軸Ｃ２がそれぞれ一直線として構成され、且つそれぞれが、記録媒体（図示せず）のタンジェンシャル方向（矢印ＴＩで示す方向）に対して斜めに配置される。なお、この例においては、第１の光学系８１が内周側、第２の光学系８２が外周側とされる。そして第１の光学系８１においては、光源である発光素子を含む第１の光集積素子３０が、対物レンズ１５の配置位置よりもラジアル方向内周側に配置される。また、第２の光学系８２においては、第２の光集積素子５０が、対物レンズ１４の配置位置よりも外周側に配置される。各光学系８１及び８２の光軸Ｃ１及びＣ２がタンジェンシャル方向ＴＩとなす角度は、各光学部品の大きさや光学部品間の距離、移動ベース７の形状や寸法等から適宜選択すればよい。例えば１０°〜２０°程度の範囲とすることで全体をより小型に効率よく配置することができる。図示の例においては、各光軸Ｃ１、Ｃ２のタンジェンシャル方向ＴＩとなす角度を１４°〜１６°程度とする場合を示す。
【００４２】
図７及び図８を参照してこれら第１及び第２の光学系８１及び８２を構成する光学部品について説明する。この例では、第１の光集積素子３０から対物レンズ１５の立ち上げミラー７１に至る光学部品が一直線上に配置され、例えば記録媒体（図示せず）の内周側、すなわちラジアル方向（矢印ＴＲで示す方向）の中心側に配置される。第１の光集積素子３０の光出射部には、ビームスプリッタ等の光分離機能を有する部材（詳細については後述する）が設けられ、一方の出射側にモニター用の受光素子４０が配置される。他方の出射側に、カップリングレンズ４１、液晶素子等より成る収差補正素子４２、１／４波長板４３、コリメータレンズ４４、立ち上げミラー７１が配置される。
【００４３】
また、第２の光集積素子５０においても、同様に光出射部に光分離機能を有する部材が設けられ、一方の出射側にモニター用の受光素子６０が配置される。他方の出射側に、１／４波長板６１、カップリングレンズ６２、コリメータレンズ６３、立ち上げミラー７２が配置される。なお、この例においては、図５〜図７に示すように、コリメータレンズ６３を移動するコリメータレンズ駆動機構６６を第２の光学系８２の外周側に設け、コリメータレンズ６３を移動させることによって、収差補正を行う構成とする。これらの各光学部品の機能については後述するが、本発明の光ピックアップ装置に用いる光学系は上記の例に限定されるものではなく、その他の機能を有する光学素子に換えることも可能である。例えばコリメータレンズ駆動機構６６による収差補正機能に代えて収差補正素子を用いてもよく、その他種々の変形が可能である。
【００４４】
３．光集積素子の構成
次に、第１及び第２の光集積素子３０及び５０の構成について説明する。図９及び図１０は、第１及び第２の光集積素子３０及び５０の概略断面構成図である。図９及び図１０に示すように、この第１及び第２の光集積素子３０及び５０における発光部３１及び５１は、発光素子保持体３１ａ及び５１ａの内部に半導体レーザ等より成る発光素子３１ｂ及び５１ｂが保持される構成とする。発光素子保持体３１ａ及び５１ａは樹脂や金属等より成り、筐体としての機能も有するものであることが望ましい。このような構成とすることで、第１及び第２の光集積素子３０及び５０から発光部３１及び５１の取り外し交換が可能となる。
【００４５】
ここで例えば第１の光集積素子３０における第１の発光素子３１ｂとしては、例えば中心波長７８０ｎｍ及び６６０ｎｍの２つの波長帯域の光を発光する２波長半導体レーザ素子を用いることができる。そして図９に示すように、発光部３１は、支持基板３３の一方の面に接着剤等によって固定される。支持基板３３の他方の面上には受光素子３５が設けられ、樹脂あるいは金属からなる補助板３４が固定される。更にその上には、ホログラムやシリンドリカルレンズ（図示せず）等の機能を有する第１の光学部３６を介して、上述したビームスプリッタの機能を有する第２の光学部３７が固定される。第２の光学部３７はそれぞれ光透過性を有する光学部材が光機能薄膜を介して貼り合わせられて成り、各光機能薄膜３７ａ及び３７ｂが光軸Ｃ１に対して例えば４５°となるように構成される。光機能薄膜３７ａは例えば偏光ビームスプリッタとされ、光機能薄膜３７ｂは例えば反射膜とされる。
【００４６】
このような構成において、発光素子３１ｂから出射された光のうち所定の偏光方向の光は偏光ビームスプリッタより成る光機能薄膜３７ａを透過し、光軸Ｃ１に沿って外部に導出される。一方この偏光方向とは直交する偏光方向の光は光機能薄膜３７ａで反射されて前方（図９においては左方向）に出射される。これにより、発光素子３１ｂから出射される光の一部を図５〜図８に示すモニター用の受光素子４０に入射させる。
【００４７】
第１の光集積素子３０から光軸Ｃ１に沿って導出された光は、図５〜図８に示すように、カップリングレンズ４１を介して収差補正素子４２に入射される。収差が補正された光は１／４波長板４３及びコリメータレンズ４４を介して立ち上げミラー７１に入射され、ここにおいて例えば９０°光路を曲げられて対物レンズ１５に入射される（図５参照）。対物レンズ１５により記録媒体の記録面に集光され、記録面で反射された光は、再び対物レンズ１５、立ち上げミラー７１、コリメータレンズ４４、１／４波長板４３、収差補正素子４２、カップリングレンズ４１を介して第１の光集積素子３０に入射される。１／４波長板４３を２回通過した光は偏光方向が９０°回転するので、この戻り光は光機能薄膜３７ａで反射されて、光軸Ｃ１１に沿って第３の光学部３７内を透過する。そして光機能薄膜３７ｂにおいて反射され、光軸Ｃ１２に沿って第１の光学部３６内を透過し、支持基板３３に設けられている受光素子３５に入射される。
以上により発光素子３１ｂから出射されたレーザ光は、モニター用の受光素子４０及びフォーカス制御やトラッキング制御信号検出用、また記録信号再生用の受光素子３５に入射される。
【００４８】
また、第２の光集積素子５０における第２の発光素子５１ｂとしては、例えば中心波長４０５ｎｍの単一の波長帯域の光を発光する半導体レーザ素子を用いることができる。そして図１０に示すように、発光部５１は、支持基板５３の一方の面に接着剤等によって固定される。支持基板５３の他方の面上には受光素子５５が設けられ、樹脂あるいは金属からなる補助板５４が固定される。更にその上には、ホログラムやシリンドリカルレンズ（図示せず）等の機能を有する第１の光学部５６を介して、上述したビームスプリッタの機能を有する第２の光学部５７が固定される。第２の光学部５７はそれぞれ光透過性を有する光学部材が光機能薄膜を介して貼り合わせられて成り、各光機能薄膜５７ａ及び５７ｂが光軸Ｃ２に対して例えば４５°となるように構成される。光機能薄膜５７ａも例えば偏光ビームスプリッタとされ、光機能薄膜５７ｂは例えば反射膜とされる。
【００４９】
このような構成において、発光素子５１ｂから出射された光のうち所定の偏光方向の光は偏光ビームスプリッタより成る光機能薄膜５７ａを透過し、光軸Ｃ２に沿って外部に導出される。一方この偏光方向とは直交する偏光方向の光は光機能薄膜５７ａで反射されて前方（図１０においては左方向）に出射される。これにより、発光素子５１ｂから出射される光の一部を図５〜図８に示すモニター用の受光素子６０に入射させる。
【００５０】
光集積素子５０から光軸Ｃ２に沿って導出された光は、図５〜図８に示すように、波長板６１、カップリングレンズ６２を介してコリメータレンズ６３を介して立ち上げミラー７２に入射される。そしてここにおいて例えば９０°光路を曲げられて対物レンズ１４に入射される（図５参照）。対物レンズ１４により記録媒体の記録面に集光され、記録面で反射された光は、再び対物レンズ１４、立ち上げミラー７２、コリメータレンズ６３、カップリングレンズ６２及び波長板６１を介して第２の光集積素子５０に入射される。１／４波長板６１を２回通過した光は偏光方向が９０°回転するので、この戻り光は光機能薄膜５７ａで反射されて、光軸Ｃ２１に沿って第２の光学部５７内を透過する。そして光機能薄膜５７ｂにおいて反射され、光軸Ｃ２２に沿って第１の光学部５６内を透過し、支持基板５３に設けられる受光素子５５に入射される。
以上により発光素子５１ｂから出射されたレーザ光は、モニター用の受光素子６０及びフォーカス制御やトラッキング制御信号検出用、また記録信号再生用の受光素子５５に入射される。
【００５１】
なお、上述の例においては、第１及び第２の光集積素子３０及び５０における第３の光学部３７及び５７にそれぞれ２つの光機能薄膜を設ける例を示したが、この光機能薄膜の数は２以上でもよい。例えば２波長の光を出射し、受光する光集積素子においては波長選択膜を設けるとか、信号の分離等を目的としてホログラムを設けるなど、種々の構成とすることが可能である。また、例えば第１の光集積素子３０における支持基板３３と第１の光学部３６との間や、第２の光集積素子５０における支持基板５３と第１の光学部５６との間にも、同様にホログラムやグレーティング等の光機能素子を介在させる等、種々の変形、変更が可能である。
【００５２】
このように、第１及び第２の光集積素子３０及び５０においてそれぞれ、発光素子３１ｂ及び受光素子３５、発光素子５１ｂ及び受光素子５５を一体化した光学部品を用いることにより、全体としての光学部品の部品点数の削減を図ることができる。例えば前述の図１１において説明した特許文献１に開示の光ピックアップ装置においては、光源から対物レンズに至る光路に配置される光学部品の点数が２０点にも上った。一方上述の実施の形態例においては、モニター用の受光素子を共通にしていないにも係らず、光学部品の点数を１１点に抑えることができる。このように部品点数を格段に抑えることができることから、各光学部品を光学調整する作業を大幅に簡易化すると共に、信頼性を向上することが可能となる。その結果、生産性の向上を図り、コストを抑制することが可能となる。
【００５３】
また、図９及び図１０に示すように、第１及び第２の光集積素子３０及び５０の光軸Ｃ１、Ｃ２と直交する方向の長さをＬ１、Ｌ４とすると、Ｌ１＝Ｌ４＝１１．７ｍｍに抑えることができた。また、発光部３１、５１を除く光軸方向の長さをそれぞれＬ２、Ｌ５とし、発光部３１、５１の光軸方向の長さ（端子を除く）をＬ３、Ｌ６とすると、Ｌ２＝５．７ｍｍ、Ｌ３＝３．９ｍｍ、Ｌ５＝６．１ｍｍ、Ｌ６＝２．７ｍｍに抑えることができた。
これらの寸法形状とされた第１及び第２の光集積素子３０及び５０を用いることによって、図５〜図８に示す配置の光ピックアップ装置６において小型化を図ることができた。具体的には、赤色帯域の光に対応する対物レンズ１５の光軸中心位置から移動ベース７の外周側端部までの寸法を１８ｍｍ以下とすることができた。また、移動ベースを支持する図１に示すガイド軸４ａ、４ｂの間隔を４５ｍｍ以下に抑えることを実現でき、従来と比べて装置全体の小型化を図ることが可能となった。
【００５４】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００５５】
【図１】本発明の光ディスク装置の実施の形態例の概略斜視図である。
【図２】本発明の光ピックアップ装置の実施の形態例における対物レンズ駆動装置の拡大斜視図である。
【図３】本発明の光ピックアップ装置の実施の形態例における可動ブロックの拡大斜視図である。
【図４】本発明の光ピックアップ装置の実施の形態例における可動ブロックを図３とは別の方向から見た状態で示す拡大斜視図である。
【図５】本発明の光ピックアップ装置の実施の形態例における概略平面構成図である。
【図６】図５に示す例において対物レンズ駆動装置を取り除いた状態の概略平面構成図である。
【図７】図５に示す例において裏面側から見た概略平面構成図である。
【図８】本発明の光ピックアップ装置の実施の形態例における要部の概略斜視構成図である。
【図９】本発明の光ピックアップ装置の実施の形態例における光集積素子の概略断面構成図である。
【図１０】本発明の光ピックアップ装置の実施の形態例における光集積素子の概略断面構成図である。
【図１１】従来の光ピックアップ装置の一例の概略平面構成図である。
【符号の説明】
【００５６】
１…光ディスク装置、３…ディスクテーブル、６…光ピックアップ装置、７…移動ベース、８…対物レンズ駆動装置、９…固定ブロック、１０…可動ブロック、１２…レンズホルダー、１２ｂ…光路用開口、１３…第１のフォーカス用コイル、１３ａ…第１の推力発生部、１３ｂ…第２の推力発生部、１４…対物レンズ、１５…対物レンズ、１６…第２のフォーカス用コイル、１７…トラッキング用コイル、１９…支持バネ、２０…第１のフォーカス用マグネット、２２…第２のフォーカス用マグネット、２３…トラッキング用マグネット、３０…第１の光集積素子、３１，５１…発光部、３１ａ，５１ａ…発光素子保持体、３１ｂ，５１ｂ…発光素子、３３，５３…支持基板、３４，５４…補助板、３５，５５…受光素子、３６，５６…第１の光学部、３７，５７…第２の光学部、３７ａ，３７ｂ，５７ａ，５７ｂ…光機能薄膜、４０，６０…受光素子、４１，６２…カップリングレンズ、４２…収差補正素子、４３，６１…波長板、４４，６３…コリメータレンズ、５０…第２の光集積素子、６６…コリメータレンズ駆動機構、７１，７２…立ち上げミラー、８１…第１の光学系、８２…第２の光学系、１００…記録媒体
【図１】
2010102810.tif 000003
【図２】
2010102810.tif 000004
【図３】
2010102810.tif 000005
【図４】
2010102810.tif 000006
【図５】
2010102810.tif 000007
【図６】
2010102810.tif 000008
【図７】
2010102810.tif 000009
【図８】
2010102810.tif 000010
【図９】
2010102810.tif 000011
【図１０】
2010102810.tif 000012
【図１１】
2010102810.tif 000013